(57)【要約】      （修正有）【課題】地上から高所を撮影する点検用などの高所撮影装置において、Ｗｉ−Ｆｉ通信機能付き撮像手段をポール先端に取り付け高所で使用してもＷｉ−Ｆｉ電波を的確に捉え、良好に撮影することができる高所撮影装置を提供する。【解決手段】無段階に伸縮自在な伸縮式ポール４と、伸縮式ポール４のポール上端に取り付けられたＷｉ−Ｆｉ通信機能付き撮像手段７と、撮影手段７の方向を上下左右に向けるパン＆チルト装置５と、撮影手段７に取り付けられた照明装置８と、伸縮式ポール４の手元位置に取り付けられ、撮影画像を確認するモニタと撮影操作機能とが付いた撮像手段用コントローラ１０と、伸縮式ポール４の下端を固定する設置台１とを有し、高所にある被写体を撮影する。【選択図】図１
0003191721.tif 000002
【実用新案登録請求の範囲】
【請求項１】
高所にある被写体を撮影する高所撮影装置において、無段階に伸縮自在なポールユニットと、該ポールユニットのポール上端に取り付けられ、無線にて通信可能な撮影ユニットと、該撮影ユニットの方向を上下左右に向けるパン＆チルト装置と、前記撮影ユニットに取り付けられた照明装置と、前記ポールユニットの手元位置に取り付けられ、撮影画像を確認するモニタと撮影操作機能とが付いたコントローラと、前記ポールユニットの下端を固定する設置台とを有することを特徴とする高所撮影装置。
【請求項２】
前記撮影ユニットは、Ｗｉ‐Ｆｉ通信機能の付いた撮像手段と、該撮像手段の上部に取り付けられたカメラフード部材とから構成されていることを特徴とする請求項１に記載の高所撮影装置。
【請求項３】
前記撮影ユニットのカメラフード部材は、Ｗｉ‐Ｆｉ電波を集め反射する機能を持つことを特徴とする請求項２に記載の高所撮影装置。
【請求項４】
前記撮影ユニットのカメラフード部材の形状には、平面型、サイド曲げ付き平面型、平面屋根型、円筒型、円盤形、皿型、放物面型のいずれかもしくはその組み合わせが用いられることを特徴とする請求項２あるいは３に記載の高所撮影装置。
【請求項５】
前記カメラフード部材の材質は、電波を効率よく反射する、アルミニウム、銅、金、銀、鉄や、これら金属をコーティングした材料、これら金属を複合した材料、積層ガラスが用いられることを特徴とする請求項２−４に記載の高所撮影装置。
【請求項６】
前記カメラフード部材の取り付け位置は、カメラの上側に取り付けられることを特徴とする請求項２−５に記載の高所撮影装置。
【請求項７】
前記のカメラフード部材はカメラを覆うように取り付けられることを特徴とする請求項２−６に記載の高所撮影装置。
【考案の詳細な説明】
【技術分野】
【００１】  本考案は、住宅の屋根、橋梁、プラント設備などの高所にある構築物を地上から撮影する高所撮影装置に関するものである。
【背景技術】
【００２】  ビルや住宅などの建築物、橋梁やプラント設備などの構築物のメンテナンスでは多くの検査用写真を撮るが、最近は、人が高所に上がり撮影する方法に加え、地上から高所を撮影する高所撮影装置が多く用いられるようになってきた。【００３】  本高所撮影装置は、ポールの先端に撮像手段を取り付け、手元にあるパン＆チルト装置用コントローラにより、撮像手段の方向を変え、又、同じく手元にある撮像手段用コントローラにより、撮像手段の撮影画像を確認したり、ズーム機能やリモートシャッタ機能を作動させるものである。【００４】  本高所撮影装置のポール先端の撮像手段と手元位置にある撮像手段用コントローラは、従来、有線で接続されていた。しかし、最近、Ｗｉ‐Ｆｉ通信機能付き撮像手段が市販され、タブレットなどのコントローラと組み合わせて、無線で画像確認と撮影操作ができるようになってきた。しかしながら、本撮像手段をポール先端に取り付け高所で使用すると、Ｗｉ‐Ｆｉ電波が微弱なため、無線接続が頻繁に切れ、撮影ができなくなるという問題がある。
【考案の開示】
【考案が解決しようとする課題】
【００５】  高所撮影装置のポール先端にあるＷｉ‐Ｆｉ通信機能付き撮像手段と手元位置にあるコントローラの通信を、常時、維持する必要がある。【００６】  鮮明でハレーションのない画像を撮影するため、高所撮影装置の先端にある本撮像手段のレンズに直射日光が差し込むことを防ぐ必要がある。【００７】  高所撮影装置のポール先端に取り付けられた本撮像手段が、雨に濡れることを防ぐ必要がある。【００８】  高所撮影装置のポール先端に取り付けられた本撮像手段が、誤操作により、被写体などに衝突し、撮像手段が故障することを防ぐ必要がある。
【課題を解決するための手段】
【００９】  Ｗｉ‐Ｆｉ通信機能付き撮像手段の上にＷｉ‐Ｆｉ電波を集め、反射するカメラフード部材を配置する。本カメラフード部材の形状には、図５に示すように、Ｗｉ‐Ｆｉ電波を集め反射する機能を持つ、平面型、サイド曲げ付き平面型、平面屋根型、円筒型、円盤形、皿型、放物面型のいずれかもしくはその組み合わせが用いられる。  又、本カメラフード部材の材質には、電波を反射する機能を持つ、アルミニウム、銅、金、銀、鉄、これらの材料をコーティングした材料、これらの材料を複合させた材料、積層ガラスなどが用いられる。  更に、本カメラフード部材の取り付け位置は、撮像手段を上から覆うように取り付けられ、撮像手段から上方に逃げる電波を集め、反射させる。【０１０】  本カメラフード部材は、本撮像手段のレンズに直射日光が当たることを防ぐため、撮像手段を上から覆うように取り付けられ、かつ、太陽光が透過、反射しにくい黒色や黒色系の材料が用いられる。【０１１】  本カメラフード部材は、高所撮影装置のポール先端に取り付けられた撮像手段が、雨に濡れることを防ぐため、撮像手段を上から覆うように取り付けられる。【０１２】  本カメラフード部材は、高所撮影装置のポール先端に取り付けられた撮像手段が、誤操作により、被写体などに衝突することを防ぐため、撮像手段を上から覆うように取り付けられ、かつ、衝突時にも変形しない強度のある材料が用いられる。【０１３】  撮像手段用コントローラは、Ｗｉ‐Ｆｉ通信機能付き撮像手段を操作するアプリケーションソフトを搭載し、Ｗｉ‐Ｆｉ通信機能と画像モニタを持つ、パソコン、タブレット、スマートフォンなどが用いられる。
【考案の効果】
【０１４】  カメラフード部材付きの撮像手段を取り付けた高所写真撮影装置を使用した。従来、Ｗｉ‐Ｆｉ電波が密な都市部においては、１０分間に約１回以上の頻度で通信遮断が起きていたが、本カメラフード部材を付けた結果、図２に示す効果により、通信の遮断は起こらなかった。【０１５】  カメラフード部材付きの撮像手段を取り付けた高所写真撮影装置を用いて、太陽光の元で撮影した。直射日光は、図３に示すように、本カメラフード部材にて撮像手段に当たることなく、鮮明な画像が撮影できた。【０１６】  カメラフード部材付きの撮像手段を取り付けた該高所写真撮影装置を用いて、雨天時に撮影した。降雨は、図４に示すように、本カメラフード部材にて遮断され、撮像手段は濡れなかった。【０１７】  高所写真撮影装置のポール先端に設置された該撮影ユニットを、建築物や構築物の壁に衝突させたが、衝撃をカメラフード部材が受け止め、撮像手段には破損などの問題は起こらなかった。
【実施例】
【０１８】  添付図面に沿って、本発明の実施例を説明する。図１は、カメラフード部材付き高所撮影装置の全体図である。伸縮式ポール４は、無段階に自在に伸縮でき、ポール上端に取り付けられたＷｉ‐Ｆｉ通信機能付き撮像手段７を被写体に近接させることができる。  伸縮式ポール４の上端には、パン＆チルト装置５と、本パン＆チルト装置５を介して、撮影ユニットが取り付けられ、本撮影ユニットは、Ｗｉ‐Ｆｉ通信機能付き撮像手段７と、カメラフード部材６とから構成されている。  パン＆チルト装置５は、パン＆チルト装置用ケーブル３により、手元位置に取り付けられたパン＆チルト装置用コントローラ２と接続されている。該コントローラ２により、パン＆チルト装置５を作動させ、撮影ユニットの向きを上下左右に変えることが出来る。  照明装置８は、該撮像手段７と同一の方向に向けて取り付けられており、常時、該撮像手段の撮影方向を照らすことができる。  撮像手段用コントローラ１０は、Ｗｉ‐Ｆｉ通信にて、該撮像手段７と接続されている。該コントローラ１０は、撮影画像を確認するモニタ機能と、該撮影手段７のズームやリモートシャッタを作動させる機能を持つ。  設置台１は、伸縮式ポール４の下端に取り付けられ、地面に該ポールを安定して設置するもので、ポールに固定されたものや、ポールを左右前後に傾けることのできる自在軸を備えたものがある。【０１９】  図２は、カメラフード部材６によるＷｉ‐Ｆｉ電波の反射を示す図である。Ｗｉ‐Ｆｉ通信機能付き撮像手段７より発振されるＷｉ‐Ｆｉ電波は周囲全方向に放射されるが、該撮像手段７を上方から覆うような形に取り付けられたカメラフード部材６が上方部分に放射される電波を反射して、下方にある撮像手段用コントローラ１０の受信を向上させる。【０２０】  図３は、カメラフード部材６による直射日光１１の遮断を示す図である。該撮像手段７を上方から覆うような形に取り付けられたカメラフード部材６が、該撮像手段７のレンズに差し込む光線を遮断して、画像のハレーションを防止する。【０２１】  図４は、カメラフード部材６による降雨１２の遮断を示す図である。該撮像手段７を上方から覆うような形に取り付けられたカメラフード部材６が降雨を遮断して、該撮像手段７の濡れを防止する。【０２２】  図５は、カメラフード部材６の形状を示す図である。該撮像手段７を上方から覆うような形状として、平面型、サイド曲げ付き平面型、平面屋根型、円筒型、円盤形、皿型、放物面型のいずれかもしくはその組み合わせが用いられる。【０２３】  該高所撮影装置でビルの壁面を撮影した。まず、該高所撮影装置を壁面から約３ｍほど離し地面に置く。設置台１が地面に密着し、安定して設置される。次に、伸縮式ポール４を伸ばして、該撮像手段７と被写体をなるべく近接させる。次に、パン＆チルト装置５をコントロールして、該撮像手段７の方向を被写体の方向に調整する。次に、撮像手段用コントローラ１０を作動させ、撮像手段用コントローラ１０で被写体の撮影画像を確認しながら、該撮像手段７のズーム機能を調節する。確認画像が良好で有れば、撮像手段用コントローラ１０のリモートシャッタにて撮影をする。  尚、被写体が暗い場合には、あらかじめ、照明装置８のスイッチを入れておく。  カメラフード部材６の付いた該撮像手段７を取り付けた高所撮影装置を用いて、Ｗｉ‐Ｆｉ電波が密な都市部、かつ、晴天時に撮影し、通信の遮断もなく、鮮明な画像を撮影できた。雨天時の撮影、装置の衝突においても、装置やカメラの故障もなく、使用できた。
【図面の簡単な説明】
【０２４】
【図１】図１は、カメラフード部材付き高所写真撮影装置の全体図である。
【図２】図２は、撮影ユニットと反射したＷｉ‐Ｆｉ電波の図である。
【図３】図３は、撮影ユニットと直射日光の図である。
【図４】図４は、撮影ユニットと降雨の図である。
【図５】図５は、カメラフード部材の各種形状の図である。
【符号の説明】
【０２５】  １：設置台  ２：パン＆チルト装置用コントローラ  ３：パン＆チルト装置用ケーブル  ４：伸縮式ポール  ５：パン＆チルト装置  ６：カメラフード部材  ７：Ｗｉ‐Ｆｉ通信機能付き撮像手段  ８：照明装置  ９：Ｗｉ‐Ｆｉ電波１０：撮像手段用コントローラ１１：直射日光１２：降雨
【図１】
0003191721.tif 000003
【図２】
0003191721.tif 000004
【図３】
0003191721.tif 000005
【図４】
0003191721.tif 000006
【図５】
0003191721.tif 000007
【手続補正書】
【提出日】平成26年4月10日(2014.4.10)
【手続補正１】
【補正対象書類名】実用新案登録請求の範囲
【補正対象項目名】全文
【補正方法】変更
【補正の内容】
【実用新案登録請求の範囲】
【請求項１】
高所にある被写体を撮影する高所撮影装置において、
無段階に伸縮自在なポールユニットと、該ポールユニットのポール上端に取り付けられ、無線にて通信可能な撮影ユニットと、該撮影ユニットの方向を上下左右に向けるパン＆チルト装置と、前記撮影ユニットに取り付けられた照明装置と、前記ポールユニットの手元位置に取り付けられ、撮影画像を確認するモニタと撮影操作機能とが付いたコントローラと、前記ポールユニットの下端を固定する設置台とを有することを特徴とする高所撮影装置。
【請求項２】
前記撮影ユニットは、Ｗｉ−Ｆｉ通信機能の付いた撮像手段と、該撮像手段の上部に取り付けられたカメラフード部材とから構成されていることを特徴とする請求項１に記載の高所撮影装置。
【請求項３】
前記撮影ユニットのカメラフード部材は、Ｗｉ−Ｆｉ電波を集め反射する機能を持つことを特徴とする請求項２に記載の高所撮影装置。
【請求項４】
前記撮影ユニットのカメラフード部材の形状には、平面型、サイド曲げ付き平面型、平面屋根型、円筒型、円盤形、皿型、放物面型のいずれかもしくはその組み合わせが用いられることを特徴とする請求項２あるいは３に記載の高所撮影装置。
【請求項５】
前記カメラフード部材の材質は、電波を効率よく反射する、アルミニウム、銅、金、銀、鉄や、これら金属をコーティングした材料、これら金属を複合した材料、積層ガラスが用いられることを特徴とする請求項２−４のいずれか一項に記載の高所撮影装置。
【請求項６】
前記カメラフード部材の取り付け位置は、撮像手段の上側に取り付けられることを特徴とする請求項２−５のいずれか一項に記載の高所撮影装置。
【請求項７】
前記のカメラフード部材は撮像手段を覆うように取り付けられることを特徴とする請求項２−６のいずれか一項に記載の高所撮影装置。